(57)【要約】【課題】支柱ハンマー本体を伸ばして十分に両手が届くようにしても、支柱を支柱ハンマー本体内から抜き取る際に支柱ハンマー本体の上端が天井などに接触させずに支柱を簡単に抜き取ることができる支柱ハンマーを提供する。【解決手段】支柱Ｈの頂部Ｈ１に対し支柱ハンマー本体１０の底部１１に固着した錘１２を当接させるように被せた状態での上下方向への打撃部１９のストロークにより打撃する支柱ハンマー１を前提とする。支柱ハンマー本体１０を、２１００ｍｍ程度の長さの支柱Ｈであってもその略半分の長さを収容した状態で作業者Ｗの肩Ｗ１付近で把持可能な一対の把持部１４を下端部に有する長さに設定している。支柱ハンマー本体１０は、打撃部１９のストロークを確保した状態でそのストローク外の下側部分と下端との間を切り欠いた切欠部１７を備え、土壌Ｒに打ち込んだ支柱Ｈを収容部１３内に対し切欠部１７を介して抜き差し可能にしている。【選択図】図１
0003218282.tif 000002
【実用新案登録請求の範囲】
【請求項１】
支柱を土壌に打ち込む際に当該支柱の頂部に対し有底筒形状の支柱ハンマー本体の底部を当接させるように被せた状態での上下方向へのストロークにより打撃する支柱ハンマーであって、
前記支柱ハンマー本体は、その底部側に前記支柱の頂部を打撃する打撃部が設けられているとともに、前記支柱が２１００ｍｍ程度の長さであってもその略半分の長さを収容した状態で作業者の肩付近で把持可能な一対の把持部を有する長さに設定されており、
前記支柱ハンマー本体には、前記支柱の頂部に対する前記打撃部の打撃により前記土壌に打ち込む際の前記支柱の頂部に対する前記打撃部のストロークを確保した状態でそのストローク外の下側部分より前記土壌に打ち込んだ支柱を支柱ハンマー本体内に対し抜き差し可能とするように、前記ストローク外の下側部分と下端との間を連続して切り欠いた切欠部が長手方向に亘って設けられていることを特徴とする支柱ハンマー。
【請求項２】
前記支柱ハンマー本体の前記打撃部の直下方位置には、当該支柱ハンマー本体内に収容した支柱の頂部位置を確認可能とする確認部が設けられている請求項１に記載の支柱ハンマー。
【請求項３】
前記打撃部は、前記支柱ハンマー本体の上端部内に長手方向へ寸法を存して密着状態で固着された錘を備えている請求項１又は請求項２に記載の支柱ハンマー。
【考案の詳細な説明】
【技術分野】
【０００１】
本考案は、蔓性植物やフェンスなどの塀状物を支える支柱を土壌に打ち込む際に用いられる支柱ハンマーに関する。
【背景技術】
【０００２】
従来より、支柱を土壌に打ち込む際に用いる支柱ハンマーとしては、有底円筒形状に形成された支柱ハンマー本体を備え、この支柱ハンマー本体を支柱の頂部に対し被せた状態で上下方向へのストロークにより打撃するようにしたものが知られている（非特許文献１参照）。この支柱ハンマー本体の周方向へ互いに１８０°隔てた位置には左右一対の把持部が設けられ、この各把持部を左右の手で個別に把持した状態で上下方向へストロークさせることで、支柱の頂部を打撃するようにしている。この場合、支柱ハンマーの重さは、６．８ｋｇに設定されている。
【先行技術文献】
【非特許文献】
【０００３】
【非特許文献１】「打ち込みハンマー シンセイ SH-600：２０１８年７月３日検索」インターネット＜ＵＲＬ：https://item.rakuten.co.jp/kiyostore/uchikomi-hanma-sh600/?scid=af_pc_etc&sc2id=af_113_0_10001868＞
【考案の概要】
【考案が解決しようとする課題】
【０００４】
ところが、前記従来の支柱ハンマーでは、支柱の長さによって使い難いことがある。これは、２１００ｍｍもある長い支柱を土壌に打ち込む際、このような長い支柱の頂部に支柱ハンマー本体を被せると、各把持部が非常に高所に位置してしまうからである。しかも、支柱ハンマー自体の重さが６．８ｋｇもあるため、支柱を土壌に打ち込む際の上下方向へのストロークによる打撃を考慮すると、小柄な作業者にとっては非常に扱い難いものとなってしまう。
【０００５】
そこで、長い支柱に対応すべく支柱ハンマー本体の長手方向（上下方向）長さを伸ばすことで、長い支柱の頂部に被せた支柱ハンマー本体の各把持部に対し作業者の両手が十分に届くようにすることが考えられる。
【０００６】
しかし、支柱ハンマー本体の長手方向長さを伸ばすと、土壌に打ち込み終えた長い支柱を支柱ハンマー本体内から抜き取る際に、長い支柱の頂部まで支柱ハンマー本体の下端を持ち上げなければならず、作業者にとっては負担となる。
【０００７】
しかも、高さ制限のあるビニールハウス内で打ち込んだ長い支柱を支柱ハンマー本体内から抜き取る際に支柱の頂部まで支柱ハンマー本体の下端を持ち上げると、支柱ハンマー本体の上端がビニールハウスなどの天井に接触してしまうおそれがある。
【０００８】
本考案は、かかる点に鑑みてなされたものであり、その目的とするところは、支柱ハンマー本体の長手方向長さを伸ばして十分に両手が届くようにしても、支柱を支柱ハンマー本体から抜き取る際に支柱ハンマー本体の上端が天井などに接触することなく支柱を簡単に抜き取ることができる支柱ハンマーを提供することにある。
【課題を解決するための手段】
【０００９】
前記目的を達成するため、本考案では、支柱を土壌に打ち込む際に当該支柱の頂部に対し有底筒形状の支柱ハンマー本体の底部を当接させるように被せた状態での上下方向へのストロークにより打撃する支柱ハンマーを前提とする。更に、前記支柱ハンマー本体は、その底部側に前記支柱の頂部を打撃する打撃部を設けているとともに、前記支柱が２１００ｍｍ程度の長さであってもその略半分の長さを収容した状態で作業者の肩付近で把持可能な一対の把持部を有する長さに設定している。そして、前記支柱ハンマー本体に、前記支柱の頂部に対する前記打撃部の打撃により前記土壌に打ち込む際の前記支柱の頂部に対する前記打撃部のストロークを確保した状態でそのストローク外の下側部分より前記土壌に打ち込んだ支柱を抜き差し可能とするように、前記ストローク外の下側部分と下端との間を連続して切り欠いた切欠部を長手方向に亘って設けることを特徴としている。
【００１０】
また、前記支柱ハンマー本体の前記打撃部の直下方位置に、当該支柱ハンマー本体内に収容した支柱の頂部位置を確認可能とする確認部を設けることが好ましい。
【００１１】
更に、前記打撃部は、前記支柱ハンマー本体の上端部内に長手方向へ寸法を存して密着状態で固着された錘を備えていてもよい。
【考案の効果】
【００１２】
以上、要するに、長さが２１００ｍｍもある長い支柱であってもその略半分の長さを収容した状態で作業者の肩付近で把持可能な一対の把持部を有する長さに支柱ハンマー本体が設定されて、支柱ハンマー本体の各把持部に対し小柄な作業者であっても十分に両手が届くことになる。
【００１３】
その場合、支柱の頂部に対する打撃部のストロークを確保した状態で土壌に打ち込んだ支柱を支柱ハンマー本体の内部に対し抜き差し可能とするように正面側に開口する切欠部をストローク外の下側部分と下端との間で長手方向に亘って連続して切り欠くことで、長い支柱を支柱ハンマー本体内から抜き取る際に支柱の頂部まで支柱ハンマー本体の下端を持ち上げる必要がなく、支柱ハンマー本体を打撃部のストローク外の下側部分つまり切欠部の上端まで持ち上げて当該支柱ハンマー本体を切欠部とは反対側へ移動させれば、支柱を切欠部から抜き取ることが可能となる。これにより、支柱ハンマー本体の長手方向長さを伸ばして十分に両手が届くようにしても、支柱を支柱ハンマー本体内から抜き取る際に支柱ハンマー本体の上端が天井などに接触することなく当該支柱ハンマー本体内から支柱を簡単に抜き取ることができる。
【００１４】
また、支柱ハンマー本体の打撃部の直下方位置に当該支柱ハンマー本体内に収容した支柱の頂部位置を確認可能とする確認部を設けることで、支柱ハンマー本体内に収容した状態で打撃部により打撃された支柱の頂部位置が確認部により確認でき、複数の支柱の高さを打撃部による打撃途中であっても容易に確認して各支柱の高さを揃えることができる。
【００１５】
更に、打撃部は、支柱ハンマー本体の上端部内に長手方向に寸法を存して密着状態で固着した錘を備えることで、打撃部が支柱ハンマー本体の上端部内に固着した錘によって簡単に取り付けられ、支柱を土壌に打ち込む際に頂部に対し打撃部の荷重を錘によって効率よく入力することができ、支柱の打ち込みをより円滑に行うことができる。
【図面の簡単な説明】
【００１６】
【図１】本考案の実施の形態に係る支柱ハンマーを用いて支柱を土壌に打ち込む状態を示す説明図である。
【図２】図１の支柱ハンマーにより支柱を打ち込む際の打撃部のストロークを説明する説明図である。
【図３】図１の支柱ハンマーの正面図である。
【図４】図１の支柱ハンマーの背面図である。
【図５】図１の支柱ハンマーの右側面図である。
【図６】図１の支柱ハンマーの左側面図である。
【図７】図１の支柱ハンマーの平面図である。
【図８】図１の支柱ハンマーの底面図である。
【図９】図３の支柱ハンマーの上部側付近の正面図である。
【図１０】図３の支柱ハンマーの下部付近の正面図である。
【図１１】図３の支柱ハンマーの各把持部直上方付近での横断面図である。
【図１２】変形例に係る支柱ハンマーの上部側付近の正面図である。
【図１３】その他の変形例に係る支柱ハンマーの上部側付近の正面図である。
【考案を実施するための形態】
【００１７】
以下、添付図面を参照しながら、本考案の実施の形態について説明し、本考案の理解に供する。なお、以下の実施の形態は、本考案を具体化した一例であって、本考案の技術的範囲を限定する性格のものではない。
【００１８】
図１は本考案の実施の形態に係る支柱ハンマーを用いて支柱を土壌に打ち込む状態を示す説明図、図１の支柱ハンマーにより支柱を打ち込む際の打撃部のストロークを説明する説明図をそれぞれ示している。
【００１９】
図１及び図２に示すように、支柱ハンマー１は、有底円筒形状の支柱ハンマー本体１０を備えている。そして、支柱ハンマー１は、支柱Ｈを土壌Ｒに打ち込む際に当該支柱Ｈの頂部Ｈ１に対し支柱ハンマー本体１０の底部１１を当接させるように被せた状態での上下方向へのストロークＳ（図２に表れる）により打撃する。この場合、支柱Ｈとしては、長手方向の長さが２１００ｍｍで、外径が２５ｍｍのスチール製の鋼管が適用されている。
【００２０】
支柱ハンマー本体１０は、その底部１１側（図１及び図２では上部側）に支柱Ｈの頂部Ｈ１を打撃する打撃部１９が設けられている。この打撃部１９は、支柱ハンマー本体１０の上端部内に長手方向へ寸法（例えば１５０ｍｍ程度）を存した円柱形状の鉄材よりなる錘１２を備え、この錘１２の上端が４５°で外形面取りされている。そして、錘１２は、支柱ハンマー本体１０の上端部内に密着状態で収容され、外形面取りされた鉄材の上端と支柱ハンマー本体１０の内周面上端との間が溶接により固着されている。このとき、鉄材の上端と支柱ハンマー本体１０の内周面上端との間の溶接痕は、ヤスリなどによって支柱ハンマー本体１０の上端面と面一状となるように処理されている。
【００２１】
また、錘１２の下端部に対応する支柱ハンマー本体１０の対応位置には周方向４箇所に等間隔で開口する略１０ｍｍ径の開口孔（図示せず）が設けられ、これらの開口孔と錘１２の下端部との間が溶接により固着され、これによって支柱ハンマー本体１０の上部（底部１１）側を錘１２によって有底円筒状に封止している。このとき、開口孔と錘１２の下端部との間の溶接痕は、ヤスリなどによって支柱ハンマー本体１０と面一状となるように処理されている。この場合、支柱ハンマー１の重さは、打撃部１９（錘１２）の重量（例えば０．７８ｋｇ）を含めて約２．８ｋｇとなるように設定されている。
【００２２】
図３は図１の支柱ハンマー１の正面図、図４は図１の支柱ハンマー１の背面図をそれぞれ示している。また、図５は図１の支柱ハンマー１の右側面図、図６は図１の支柱ハンマー１の左側面図をそれぞれ示している。更に、図７は図１の支柱ハンマー１の平面図、図８は図１の支柱ハンマー１の底面図をそれぞれ示している。
【００２３】
図３〜図６にも示すように、支柱ハンマー本体１０は、２１００ｍｍの長さの支柱Ｈであってもその略半分の長さ（例えば９５０ｍｍ程度）を収容可能とする収容部１３を内部に備え、打撃部１９を合わせた全長の長さが例えば１１００ｍｍ程度に設定されている。この収容部１３は、２１００ｍｍの長さの支柱Ｈの頂部Ｈ１側（図１〜図６では上側）の略半分を収容可能とされている。また、図７及び図８にも示すように、支柱ハンマー本体１０の下端部には、一対の把持部１４，１４が周方向に互いに１８０°隔てた位置に設けられている。この各把持部１４は、支柱Ｈの頂部Ｈ１側の略半分を収容部１３内に収容して当該支柱Ｈの先端Ｈ２（下端）を土壌Ｒに当てた際に、作業者Ｗの肩Ｗ１付近の高さで両手Ｗ２，Ｗ２が把持可能とされている。この場合、作業者Ｗは、身長１５００ｍｍ位の小柄な人である。
【００２４】
各把持部１４は、支柱ハンマー本体１０の周方向に互いに１８０°隔てた外周面上の両位置にそれぞれ一片が溶接されて半径方向外方へ延びる略Ｌ字状の上下一対の支持具１５，１５と、この支持具１５，１５の外方端同士の間に上下両端がそれぞれ溶接により固着された把持ロッド１６とを備えている。上下の支持具１５，１５は、支柱ハンマー本体１０の下端から１００ｍｍ隔てた位置と２５０ｍｍ隔てた位置とに把持ロッド１６を把持可能とする１５０ｍｍ程度の間隔を存して互いに向き合うように設けられ、左右の把持部１４，１４を作業者Ｗに適する位置に設定している。
【００２５】
そして、支柱Ｈは、土壌Ｒに対し１００ｍｍ程度差し込んで仮保持（土壌Ｒからは２０００ｍｍ露出）させておき、この状態で、支柱Ｈの頂部Ｈ１に切欠部１７の上端が位置するまで支柱ハンマー本体１０を持ち上げ、支柱ハンマー本体１０を前方へ移動させることで切欠部１７を介して支柱ハンマー本体１０の収容部１３内に対し支柱Ｈを差し込んで挿通させる。そして、支柱Ｈの頂部Ｈ１に対し打撃部１９の錘１２の下端が当接するまで支柱ハンマー本体１０を降ろし、この状態で、支柱Ｈの頂部Ｈ１に対し支柱ハンマー本体１０を上下方向にストロークＳさせて打撃部１９による打撃を繰り返し行うことで、支柱Ｈを土壌Ｒに打ち込む。このとき、支柱Ｈは、図１に仮想線（二点鎖線）で示すように、土壌Ｒに対し３００ｍｍ程度打ち込まれ、土壌Ｒからは１８００ｍｍ露出することになる。この場合、土壌Ｒに複数打ち込んだ各支柱Ｈの高さを１８００ｍｍに揃えることで、豆類などの蔓性植物を育てる際の規格サイズのネットを円滑に取り付けることが可能となる。
【００２６】
図９は図３の支柱ハンマー１の上部側付近の正面図、図１０は図３の支柱ハンマー１の下部付近の正面図をそれぞれ示している。この図９及び図１０にも示すように、支柱ハンマー本体１０の正面には、下端より連続して切り欠いた切欠部１７が長手方向に亘って設けられている。この切欠部１７は、頂部Ｈ１に対する打撃部１９の打撃により支柱Ｈを土壌Ｒに打ち込む際の当該頂部Ｈ１に対する打撃部１９のストロークＳを確保した状態でそのストロークＳ外の下側部分において下方に開口し、支柱ハンマー本体１０を背面側（後方）へ移動させることで土壌Ｒに打ち込んだ支柱Ｈが切欠部１７を介して抜き差し可能とされている。
【００２７】
この場合、打撃部１９のストロークＳは、錘１２の下端と切欠部１７の上端との間の距離Ｔ（例えば３５０ｍｍ程度）未満に設定されている。また、土壌Ｒに対し３００ｍｍ程度打ち込んだ支柱Ｈを支柱ハンマー本体１０内の収容部１３から抜き取る際には、２１００ｍｍの支柱Ｈであれば土壌Ｒから１８００ｍｍ突出し、切欠部１７の上端が支柱ハンマー本体１０の下端より６００ｍｍ（土壌Ｒから１４５０ｍｍ）上方に位置している。このことから、支柱ハンマー本体１０の下端より約２００ｍｍ程度（土壌Ｒから１０５０ｍｍ程度）上方に位置する左右の把持部１４，１４を両手Ｗ２，Ｗ２で把持していると、支柱ハンマー本体１０を３５０ｍｍ持ち上げるに当たり、左右の把持部１４，１４を把持した状態で作業者Ｗの両腕を軽く伸ばす程度で済み、この姿勢の状態のままで、支柱ハンマー本体１０を後方へ移動させれば、支柱ハンマー本体１０の正面側の切欠部１７を介して支柱Ｈを抜き取ることが可能となる。
【００２８】
図１１は図３の支柱ハンマー１の各把持部１４直上方付近での横断面図を示している。この図１１に示すように、支柱ハンマー本体１０は、その外径Ｐ１が３４ｍｍに、内径Ｐ２が３０ｍｍに設定された厚さ２ｍｍのスチール製の鋼管よりなる。また、支柱ハンマー本体１０の切欠部１７は、支柱ハンマー本体１０の内部に収容される外径２５ｍｍの支柱Ｈが抜き差し可能となるように周方向の幅Ｌが２８ｍｍに設定されている。なお、図１１中において仮想線（二点鎖線）で示す支柱Ｊ，Ｋは、それぞれ外径２１ｍｍ、１９ｍｍに設定され、これらの支柱Ｊ，Ｋも内部に収容可能とされている。
【００２９】
支柱ハンマー本体１０の錘１２の直下方位置には、当該支柱ハンマー本体１０の収容部１３内に収容した支柱Ｈの頂部Ｈ１位置を確認可能とする確認部１８，１８が設けられている。この各確認部１８は、支柱ハンマー本体１０の正面側及び背面側においてそれぞれ半径方向に貫通する貫通孔により構成されている。この各確認部１８は、直径約６ｍｍの略真円孔とされている。
【００３０】
また、一方の把持部１４（図７及び図１０では左側の把持部１４）の上側の支持具１５の上面には、支柱ハンマー本体１０の鉛直度を測定する測定器２が設けられている。この測定器２は、上面側に覗き穴２０を有する鉄製の円筒ケース２１と、この円筒ケース２１内に収容され、水平測定基準線と平行な管内径軸芯を必要な半径の球面（太鼓型）に仕上げた円柱状の透明な気泡管２２とを備えている。この気泡管２２の上面側は、円筒ケース２１の覗き穴２０より露呈している。
【００３１】
気泡管２２内には、アルコールやエーテルなどの着色液体２３と一つの気泡２４とを封入している。更に、気泡管２２の軸芯方向両側には、標線（基準線）と呼ばれる２本の線２５，２５が入っている。そして、測定器２は、気泡２４が２本の線２５，２５の中央にきたときに支柱ハンマー本体１０の左右の把持部１４が水平であることを示し、このとき、気泡２４が気泡管２２の曲面の真上に位置することで支柱ハンマー本体１０が鉛直であることを示している。この場合、測定器２は、土壌Ｒに対し支柱Ｈを３００ｍｍ程度打ち込んだ状態で支柱ハンマー本体１０が鉛直であることによって支柱Ｈが鉛直であることを測定している。
【００３２】
したがって、本実施の形態では、支柱Ｈが２１００ｍｍ程度の長さであってもその略半分の長さ（例えば９５０ｍｍ程度）を収容部１３内に収容した状態で作業者Ｗの肩Ｗ１付近で把持可能な一対の把持部１４，１４を有する長さに支柱ハンマー本体１０が設定されて、支柱ハンマー本体１０の各把持部１４に対し身長１５００ｍｍくらいの小柄な作業者Ｗであっても十分に両手Ｗ２，Ｗ２が届くことになる。
【００３３】
その場合、支柱ハンマー本体１０の正面側に、支柱Ｈの頂部Ｈ１に対する打撃部１９のストロークＳを確保した状態で土壌Ｒに打ち込んだ支柱Ｈを支柱ハンマー本体１０内に対し抜き差し可能とするようにストロークＳの下側部分と下端との間を長手方向に亘って連続して切り欠いた切欠部１７が設けられているので、土壌Ｒに３００ｍｍ打ち込んだ状態で土壌Ｒより１８００ｍｍ突出している長い支柱Ｈを支柱ハンマー本体１０の収容部１３内から抜き取る際に支柱ハンマー本体１０の下端を支柱Ｈの頂部Ｈ１まで９５０ｍｍ持ち上げる必要がなく、支柱ハンマー本体１０を打撃部１９のストロークＳ外の下側部分つまり切欠部１７の上端まで３５０ｍｍだけ持ち上げた状態で後方（背面側）へ移動させれば支柱ハンマー本体１０の収容部１３内から切欠部１７を介して支柱Ｈを抜き取ることが可能となる。
【００３４】
これにより、支柱ハンマー本体１０の長手方向長さを伸ばして左右の把持部１４，１４に十分に両手が届くようにしても、支柱Ｈを支柱ハンマー本体１０の収容部１３内から抜き取る際に各把持部１４を把持した状態で軽く両手を伸ばして３５０ｍｍ持ち上げた状態で後方へ移動させると、支柱ハンマー本体１０の上端がビニールハウスの天井などに接触することなく支柱ハンマー本体１０の収容部１３内から長い支柱Ｈを簡単に抜き取ることができる。
【００３５】
また、支柱ハンマー本体１０の錘１２の直下方位置の正面側及び背面側には収容部１３内に収容した支柱Ｈの頂部Ｈ１位置を確認可能とするように当該支柱ハンマー本体１０の正面側及び背面側を半径方向に貫通する貫通孔よりなる確認部１８，１８が設けられているので、支柱ハンマー本体１０の収容部１３内に収容した状態で打撃部１９により打撃された支柱Ｈの頂部Ｈ１位置が確認部１８，１８により確認でき、複数の支柱Ｈの高さを打撃部１９による打撃途中であっても容易に確認して各支柱Ｈの高さを揃えることができる。
【００３６】
更に、打撃部１９は、支柱ハンマー本体１０の上端部内に長手方向に寸法を存して密着状態で固着された錘１２を備えているので、打撃部１９が支柱ハンマー本体１０の上端部内に溶接により固着した錘１２によって簡単に取り付けられ、支柱Ｈを土壌Ｒに打ち込む際に頂部Ｈ１に対し打撃部１９の荷重を錘１２によって効率よく入力することができ、支柱Ｈの打ち込みをより円滑に行うことができる。
【００３７】
なお、本考案は前記実施の形態に限定されるものではなく、その他種々の変形例を包含している。例えば、本実施の形態では、左右の把持部１４，１４を、身長１５００ｍｍくらいの小柄な作業者Ｗに適するように、支柱ハンマー本体１０の下端から１００ｍｍ隔てた位置と２５０ｍｍ隔てた位置とに設けた上下一対の支持具１５，１５と、この各支持具１５の外方端同士の間に固着した把持ロッド１６とで構成したが、左右の把持具の位置はこれに限定されるものではなく、上下一対の支持具１５，１５を作業者の身長に応じて支柱ハンマー本体の下端から１１０〜２５０ｍｍ隔てた位置と２６０〜４００ｍｍ隔てた位置とに把持ロッドを把持可能とする１５０ｍｍ程度の間隔を存して設けられていてもよい。
【００３８】
また、本実施の形態では、支柱Ｈ，Ｊ，Ｋとして、それぞれ外径２５ｍｍ、２１ｍｍ、１９ｍｍに設定したものを適用したが、支柱の外径はこれに限定されるものではなく、切欠部の周方向の幅Ｌが２８ｍｍに設定されている場合には、この切欠部を介して抜き差し可能な２８ｍｍ以下の外径となる支柱であればよい。更に、切欠部１７の周方向の幅Ｌについても、これに限定されるものではなく、支柱ハンマー本体の内径よりも若干小さい周方向の幅であればよく、支柱ハンマー本体の内径に応じて変更してもよいのはいうまでもない。
【００３９】
また、本実施の形態では、切欠部１７を支柱ハンマー本体１０の正面側に設けたが、周方向のどの位置であってもストローク外の下側部分と下端との間を連続して切り欠いた切欠部が長手方向に亘って設けられていればよい。
【００４０】
また、本実施の形態では、各確認部１８を支柱ハンマー本体１０の正面側及び背面側においてそれぞれ半径方向に貫通する貫通孔により構成したが、支柱ハンマー本体の打撃部直下方の外周面に取り付けたシールや突起などのマーキングであってもよい。
【００４１】
また、本実施の形態では、支柱ハンマー１の重さを、錘１２の重量を含めて約２．８ｋｇとなるように設定したが、これに限定されるものではない。例えば図１２及び図１３に示すように、支柱ハンマー本体１０の上端部の外周面に筒状の追加錘３１，３２を追加し、支柱ハンマー本体１０の上端部内の錘１２と合わせて、それぞれ支柱ハンマー１の重さを３．５ｋｇ又は４．０ｋｇとなるように段階的に増加させてもよい。この場合、打撃部１９は、錘１２と追加錘３１又は３２とを備え、体力に自身のある作業者にとっては、作業性の効率を図る上で有効なものとなる。このとき、追加錘３１，３２によって各確認部１８が遮蔽されるため、支柱ハンマー本体１０の打撃部１９直下方の追加錘３１，３２の外周面に取り付けたシールや突起などのマーキングによって確認部が構成されていてもよい。
【００４２】
更に、本実施の形態では、打撃部１９のストロークＳを、錘１２の下端と切欠部１７の上端との間の距離Ｔ（例えば３５０ｍｍ程度）未満に設定したが、錘の下端と切欠部の上端との間の距離Ｔが例えば４００ｍｍ程度に設定されていてもよく、その場合には、打撃部のストロークＳも４００ｍｍ未満に設定される。
【符号の説明】
【００４３】
１        支柱ハンマー
１０      支柱ハンマー本体
１１      底部
１２      錘
１４      把持部
１７      切欠部
１８      確認部
１９      打撃部
Ｈ        支柱
Ｈ１      頂部
Ｒ        土壌
Ｓ        ストローク
Ｗ        作業者
Ｗ１      肩
【図１】
0003218282.tif 000003
【図２】
0003218282.tif 000004
【図３】
0003218282.tif 000005
【図４】
0003218282.tif 000006
【図５】
0003218282.tif 000007
【図６】
0003218282.tif 000008
【図７】
0003218282.tif 000009
【図８】
0003218282.tif 000010
【図９】
0003218282.tif 000011
【図１０】
0003218282.tif 000012
【図１１】
0003218282.tif 000013
【図１２】
0003218282.tif 000014
【図１３】
0003218282.tif 000015